(57)【要約】【課題】無線ＬＡＮ端末が必要とする情報を提供する。【解決手段】親機情報管理部１１０が、無線ＬＡＮ親機１００に関する親機情報を、あらかじめ設定された複数のカテゴリに分類し、コード生成部１２０が、親機情報管理部１１０が分類したカテゴリごとに、親機情報に基づいて、所定のコードを生成し、提供部１３０が、コード生成部１２０が生成したコードを、カテゴリごとに提供する。【選択図】図２
2013150150.tif 000002
【特許請求の範囲】
【請求項１】
情報を提供する情報提供装置であって、
当該情報提供装置に関する親機情報を、あらかじめ設定された複数のカテゴリに分類する親機情報管理部と、
前記親機情報管理部が分類したカテゴリごとに、前記親機情報に基づいて、所定のコードを生成するコード生成部と、
前記コード生成部が生成したコードを、前記カテゴリごとに提供する提供部とを有する情報提供装置。
【請求項２】
請求項１に記載の情報提供装置において、
前記提供部は、前記カテゴリの内容を示す情報を、前記コードとともに提供することを特徴とする情報提供装置。
【請求項３】
請求項１または請求項２に記載の情報提供装置において、
前記コード生成部は、前記コードとして、図形、バーコード、二次元コードまたはＲＦタグなどを生成することを特徴とする情報提供装置。
【請求項４】
請求項１から３のいずれか１項に記載の情報提供装置において、
前記親機情報管理部は、前記複数のカテゴリを、無線ＬＡＮを設定するための情報群、当該情報提供装置のステータスを示す情報群、および当該情報提供装置をリモートで利用するための情報群、またはこれらの情報群を任意に組み合わせたものとすることを特徴とする情報提供装置。
【請求項５】
請求項１から４のいずれか１項に記載の情報提供装置において、
前記親機情報管理部は、外部からの情報に基づいて、前記カテゴリを生成し、前記親機情報を該生成したカテゴリごとに分類することを特徴とする情報提供装置。
【請求項６】
請求項１から５のいずれか１項に記載の情報提供装置において、
前記親機情報管理部は、前記親機情報とは異なる他の情報を取得し、該取得した情報を所定のカテゴリに分類し、
前記コード生成部は、前記親機情報管理部が分類したカテゴリごとに、前記親機情報または前記他の情報に基づいて、前記コードを生成することを特徴とする情報提供装置。
【請求項７】
請求項１から６のいずれか１項に記載の情報提供装置において、
前記提供部は、あらかじめ設定された時間、前記コードを提供することを特徴とする情報提供装置。
【請求項８】
請求項１から７のいずれか１項に記載の情報提供装置において、
前記提供部の代わりに、他の装置と通信を行う通信部を有し、
前記通信部は、当該情報提供装置と接続された表示装置に、前記コードを表示させることを特徴とする情報提供装置。
【請求項９】
情報を提供する情報提供装置における情報提供方法であって、
当該情報提供装置に関する親機情報を、あらかじめ設定された複数のカテゴリに分類する処理と、
前記分類したカテゴリごとに、前記親機情報に基づいて、所定のコードを生成する処理と、
前記生成したコードを、前記カテゴリごとに提供する処理とを行う情報提供方法。
【請求項１０】
情報を提供する情報提供装置に、
当該情報提供装置に関する親機情報を、あらかじめ設定された複数のカテゴリに分類する手順と、
前記分類したカテゴリごとに、前記親機情報に基づいて、所定のコードを生成する手順と、
前記生成したコードを、前記カテゴリごとに提供する手順とを実行させるためのプログラム。
【発明の詳細な説明】
【技術分野】
【０００１】
本発明は、情報を提供する情報提供装置、情報提供方法およびプログラムに関する。
【背景技術】
【０００２】
近年、無線通信の１つの手段として、無線ＬＡＮ（Ｌｏｃａｌ  Ａｒｅａ  Ｎｅｔｗｏｒｋ）通信が多く用いられてきている。その無線ＬＡＮ通信においては、アクセスポイント（以下、親機と称する）が、無線ＬＡＮの設定や、ＶｏＩＰ（Ｖｏｉｃｅ  ｏｖｅｒ  Ｉｎｔｅｒｎｅｔ  Ｐｒｏｔｏｃｏｌ）の設定、電子メールのようなアプリケーションの設定等に必要な情報を、ＱＲ（Ｑｕｉｃｋ  Ｒｅｓｐｏｎｓｅ）コード（登録商標）等の二次元コードを用いて提供し、提供された二次元コードを、無線ＬＡＮ通信機能を具備した携帯端末等の無線ＬＡＮ端末が読み取り、当該設定を無線ＬＡＮ端末に反映する技術が考えられている（例えば、特許文献１，２参照。）。
【先行技術文献】
【特許文献】
【０００３】
【特許文献１】特開２００６−１５７８１４号公報
【特許文献２】特開２００６−１５７８１５号公報
【発明の概要】
【発明が解決しようとする課題】
【０００４】
しかしながら、上述したような技術は、無線通信接続の設定に関する情報を提供することはできるが、親機の状態を示す情報（以下、親機ステータス情報と称する）等、無線ＬＡＮ端末が必要とする情報を提供することができないという問題点がある。
【０００５】
本発明の目的は、上述した課題を解決する情報提供装置、情報提供方法およびプログラムを提供することである。
【課題を解決するための手段】
【０００６】
本発明の情報提供装置は、
情報を提供する情報提供装置であって、
当該情報提供装置に関する親機情報を、あらかじめ設定された複数のカテゴリに分類する親機情報管理部と、
前記親機情報管理部が分類したカテゴリごとに、前記親機情報に基づいて、所定のコードを生成するコード生成部と、
前記コード生成部が生成したコードを、前記カテゴリごとに提供する提供部とを有する。
【０００７】
また、本発明の情報提供方法は、
情報を提供する情報提供装置における情報提供方法であって、
当該情報提供装置に関する親機情報を、あらかじめ設定された複数のカテゴリに分類する処理と、
前記分類したカテゴリごとに、前記親機情報に基づいて、所定のコードを生成する処理と、
前記生成したコードを、前記カテゴリごとに提供する処理とを行う。
【０００８】
また、本発明のプログラムは、
情報を提供する情報提供装置に実行させるためのプログラムであって、
当該情報提供装置に関する親機情報を、あらかじめ設定された複数のカテゴリに分類する手順と、
前記分類したカテゴリごとに、前記親機情報に基づいて、所定のコードを生成する手順と、
前記生成したコードを、前記カテゴリごとに提供する手順とを実行させる。
【発明の効果】
【０００９】
以上説明したように、本発明においては、無線ＬＡＮ端末が必要とする情報を提供することができる。
【図面の簡単な説明】
【００１０】
【図１】本発明の情報提供装置である無線ＬＡＮ親機と、無線ＬＡＮ端末である無線ＬＡＮ子機とが配置された無線通信システムの実施の一形態を示す図である。
【図２】図１に示した無線ＬＡＮ親機の内部構成の一例を示す図である。
【図３】図１に示した無線ＬＡＮ子機の内部構成の一例を示す図である。
【図４】本形態における情報提供方法を説明するためのフローチャートである。
【図５】ステップＳ１０にて、提供部が提供する二次元コードの一例を示す図である。
【図６】３つのカテゴリに分類された親機情報に基づいて、４つ以上の二次元コードを生成する一例を示す図である。
【図７】無線ＬＡＮ親機が提供部を持たず、他の装置と通信を行うＷｅｂサーバ機能を用いて他の装置に二次元コードを表示させる一例を示す図である。
【図８】無線ＬＡＮ子機の利用者に応じたカテゴリを作成する処理を説明するためのフローチャートである。
【図９】無線ＬＡＮ子機に表示された質問リストの一例を示す図である。
【図１０】無線ＬＡＮ親機が、親機情報とは異なる他の情報を取得し、取得した情報を所定のカテゴリに分類して提供した場合の提供例を示す図である。
【図１１】無線ＬＡＮ親機が、親機情報とは異なる他の情報を取得し、取得した情報と無線ＬＡＮ子機から指定された行き先情報とを所定のカテゴリに分類して提供した場合の提供例を示す図である。
【図１２】無線ＬＡＮ子機が、二次元コードを読み取った後の利用方法の一例を説明するための図である。
【図１３】Ｗｅｂサーバ機能部を用いて、モニタに二次元コードを表示させる場合、表示の回数は一度だけとする処理を説明するための図である。
【図１４】提供部が提供している二次元コードを一定の時間経過とともに、変更させる処理を説明するための図である。
【発明を実施するための形態】
【００１１】
以下に、本発明の実施の形態について図面を参照して説明する。
【００１２】
図１は、本発明の情報提供装置である無線ＬＡＮ親機と、無線ＬＡＮ端末である無線ＬＡＮ子機とが配置された無線通信システムの実施の一形態を示す図である。
【００１３】
本形態は図１に示すように、本発明の情報提供装置である無線ＬＡＮ親機１００と、無線ＬＡＮ端末である無線ＬＡＮ子機２００とから構成されている。
【００１４】
無線ＬＡＮ親機１００は、一般に言うアクセスポイント等であり、無線ＬＡＮ子機２００へ無線ＬＡＮ通信を行うための情報を提供する情報提供装置であって、無線ＬＡＮ機能を用いて無線ＬＡＮ子機２００と接続する。また、無線ＬＡＮ親機１００は、有線で通信ネットワーク３００と接続する。
【００１５】
無線ＬＡＮ子機２００は、携帯通信端末等の無線ＬＡＮ機能を具備した無線ＬＡＮ端末であり、無線ＬＡＮ親機１００との間で無線ＬＡＮ通信を行う。
【００１６】
図２は、図１に示した無線ＬＡＮ親機１００の内部構成の一例を示す図である。なお、図２には、図１に示した無線ＬＡＮ親機１００が具備する構成要素のうち、本発明に関わる構成要素のみを示した。
【００１７】
図１に示した無線ＬＡＮ親機１００には図２に示すように、親機情報管理部１１０と、コード生成部１２０と、提供部１３０と、無線ＬＡＮインタフェース部１４０と、有線インタフェース部１５０とが設けられている。
【００１８】
親機情報管理部１１０は、無線ＬＡＮ親機１００に関する情報である親機情報（例えば、無線ＬＡＮ通信を行うために設定する設定情報等）を取得して管理する。また、親機情報管理部１１０は、親機情報を、あらかじめ設定された複数のカテゴリに分類する。
【００１９】
コード生成部１２０は、親機情報管理部１１０が分類したカテゴリごとに、親機情報に基づいて、所定のコードを生成する。例えば、コード生成部１２０は、カテゴリごとに親機情報に基づいて、図形、バーコード、二次元コードまたはＲＦタグなどを生成する。つまり、コード生成部１２０が生成したコードには、カテゴリごとに分類された親機情報が表現（記憶）されている。
【００２０】
提供部１３０は、情報を提供するディスプレイであって、コード生成部１２０が生成したコードを、カテゴリごとに提供する。また、提供部１３０は、コードをカテゴリごとに提供する際、そのカテゴリの内容を示す情報を当該コードとともに提供する。この提供部１３０の情報の提供の態様は、情報の表示であっても良い。
【００２１】
無線ＬＡＮインタフェース部１４０は、複数の無線回路（２．４ＧＨｚ対応無線回路や、５ＧＨｚ対応無線回路や、その他の周波数帯対応無線回路）や、複数のＳＳＩＤ（Ｓｅｒｖｉｃｅ  Ｓｅｔ  Ｉｄｅｎｔｉｆｉｅｒ）を持ち、無線ＬＡＮ子機２００との間で無線ＬＡＮ通信を行う。
【００２２】
有線インタフェース部１５０は、通信ネットワーク３００との間で有線で通信を行うためのインタフェース機能を持つ。
【００２３】
図３は、図１に示した無線ＬＡＮ子機２００の内部構成の一例を示す図である。なお、図３には、図１に示した無線ＬＡＮ子機２００が具備する構成要素のうち、本発明に関わる構成要素のみを示した。
【００２４】
図１に示した無線ＬＡＮ子機２００には図３に示すように、情報読み取り部２１０と、情報読み込みアプリケーション２２０と、記憶部２３０と、無線ＬＡＮインタフェース部２４０と、携帯電話網インタフェース部２５０と、設定管理部２６０とが設けられている。
【００２５】
情報読み取り部２１０は、無線ＬＡＮ親機１００の提供部１３０が提供するコードを読み取るコードリーダーである。
【００２６】
情報読み込みアプリケーション２２０は、情報読み取り部２１０が読み取ったコードの復号化を行い、その結果得られた親機情報に基づいて、プロファイルを生成する。また、親機情報を記憶部２３０に書き込む。
【００２７】
記憶部２３０は、情報読み込みアプリケーション２２０によって書き込まれた親機情報を記憶する。
【００２８】
無線ＬＡＮインタフェース部２４０は、無線ＬＡＮ親機１００との間で無線ＬＡＮ通信を行うためのインタフェースを持つ。
【００２９】
携帯電話網インタフェース部２５０は、携帯電話回線と接続するためのインタフェースを持つ。
【００３０】
設定管理部２６０は、無線ＬＡＮ子機２００の設定を管理する。
【００３１】
以下に、本形態における情報提供方法について説明する。
【００３２】
図４は、本形態における情報提供方法を説明するためのフローチャートである。
【００３３】
初期設定として、無線ＬＡＮ親機１００の利用者の操作に応じて、親機情報管理部１１０に、親機情報を分類するための複数のカテゴリをあらかじめ設定しておく。例えば、無線ＬＡＮ親機１００の利用者の操作に応じて、無線ＬＡＮを設定するための情報群のカテゴリと、無線ＬＡＮ親機１００のステータスを示す情報群のカテゴリと、無線ＬＡＮ親機１００をリモートで利用するための情報群のカテゴリとの、３つのカテゴリを親機情報管理部１１０に設定する。なお、カテゴリの数や内容については、限定しないが、いずれかのカテゴリには、無線ＬＡＮ親機１００の親機ステータス情報を含む。また、以下の説明においては、設定されたカテゴリが、Ａ、ＢおよびＣの３つである場合を例に挙げて説明する。
【００３４】
まず、無線ＬＡＮ親機１００は、無線ＬＡＮインタフェース部１４０または有線インタフェース部１５０を介して、外部からコード生成要求を受けると、親機情報管理部１１０は、無線ＬＡＮ親機１００に関する親機情報を取得する（ステップＳ１）。この取得は、無線ＬＡＮ親機１００に搭載されたメモリ等の記憶部（不図示）に記憶されている複数の親機情報（ＳＳＩＤ、暗号化モード情報、暗号化キー情報、ＭＡＣ（Ｍｅｄｉａ  Ａｃｃｅｓｓ  Ｃｏｎｔｒｏｌ）アドレス、ステータス情報、ＷｅｂサイトのＵＲＬ（Ｕｎｉｆｏｒｍ  Ｒｅｓｏｕｒｃｅ  Ｌｏｃａｔｏｒ）等のリモート利用情報等）を１つずつ読み出すことで実現される。また、この取得は、有線インタフェース部１５０を介して、通信ネットワーク３００から情報を取得するものであっても良い。
【００３５】
その後、親機情報管理部１１０は、取得した親機情報がカテゴリＡに属する情報であるかどうかを判別する（ステップＳ２）。親機情報管理部１１０が、取得した親機情報がカテゴリＡに属する情報であると判別した場合、親機情報管理部１１０は、当該親機情報をカテゴリＡに分類する（ステップＳ３）。
【００３６】
一方、親機情報管理部１１０が、取得した親機情報がカテゴリＡには属さない情報であると判別した場合は、親機情報管理部１１０は、取得した親機情報がカテゴリＢに属する情報であるかどうかを判別する（ステップＳ４）。親機情報管理部１１０が、取得した親機情報がカテゴリＢに属する情報であると判別した場合、親機情報管理部１１０は、当該親機情報をカテゴリＢに分類する（ステップＳ５）。
【００３７】
一方、親機情報管理部１１０が、取得した親機情報がカテゴリＢには属さない情報であると判別した場合は、親機情報管理部１１０は、取得した親機情報がカテゴリＣに属する情報であるかどうかを判別する（ステップＳ６）。親機情報管理部１１０が、取得した親機情報がカテゴリＣに属する情報であると判別した場合、親機情報管理部１１０は、当該親機情報をカテゴリＣに分類する（ステップＳ７）。
【００３８】
一方、親機情報管理部１１０が、取得した親機情報がカテゴリＣには属さない情報であると判別した場合は、親機情報管理部１１０は、当該親機情報をどのカテゴリにも分類せず、当該親機情報を二次元コードに含めない（ステップＳ８）。
【００３９】
以上の処理を、取得した親機情報の１つ１つに対して行う。
【００４０】
すべての親機情報の取得および分類が完了したら、コード生成部１２０は、親機情報管理部１１０がカテゴリＡ、ＢおよびＣに分類した親機情報に基づいて、カテゴリごとに二次元コードを生成する（ステップＳ９）。
【００４１】
すると、提供部１３０は、コード生成部１２０が生成した二次元コードをカテゴリごとに提供する（ステップＳ１０）。このとき、提供部１３０は、二次元コードとともにカテゴリの内容を示す情報も提供する。このカテゴリの内容を示す情報は、無線ＬＡＮ子機２００を利用する利用者が、そのカテゴリがどのようなカテゴリであるかを認識できるような説明文である。
【００４２】
なお、ステップＳ２、Ｓ４、Ｓ６の判別方法は、ここでは特に規定しない。例えば、カテゴリごとにキーワードを設定しておき、それぞれの親機情報の中にそのキーワードが含まれているかどうかに基づいて判別するものであっても良い。
【００４３】
図５は、ステップＳ１０にて、提供部１３０が提供する二次元コードの一例を示す図である。
【００４４】
図５に示すように、提供部１３０は、カテゴリＡ、ＢおよびＣにそれぞれ分類された親機情報に基づいて生成された二次元コードであるコードＡ、ＢおよびＣを、そのカテゴリの内容を示す説明とともに提供する（表示する）。
【００４５】
一方、無線ＬＡＮ子機２００の利用者が、提供部１３０に表示された説明に基づいて、取得したい親機情報が分類されているカテゴリを選択すると、選択されたカテゴリの二次元コードを情報読み取り部２１０が読み取り、情報読み込みアプリケーション２２０を用いて、当該二次元コードに含まれる親機情報を記憶部２３０に保存する。
【００４６】
その後、記憶部２３０に記憶した親機情報を、情報読み込みアプリケーション２２０が利用したり、設定管理部２６０が無線ＬＡＮ子機２００に設定し、無線ＬＡＮインタフェース部２４０を介して、無線ＬＡＮ親機１００との間の無線ＬＡＮ接続を行ったりする。つまり、例えば、記憶部２３０に記憶した親機情報の中から、無線ＬＡＮ親機１００へアクセスするための情報、無線ＬＡＮ親機１００の親機サービスの利用方法や設定を取得し、これらの情報から無線ＬＡＮ親機１００へアクセスし、親機サービスを利用する。
【００４７】
このように、複数の二次元コードから無線ＬＡＮ子機２００の利用者が選択して読み込むことで、無線ＬＡＮ子機２００の利用者が必要であると考える情報を取得することができる。また、無線ＬＡＮ親機１００の親機情報を複数の二次元コードに分類することで、多くの情報を無線ＬＡＮ子機２００へ提供することができる。また、無線ＬＡＮ子機２００は、二次元コードから取得した親機情報を利用して無線ＬＡＮ親機１００へアクセスし、無線ＬＡＮ親機１００のサービスを受けることができる。
【００４８】
以下に、いくつかの他の実施の形態を挙げる。
【００４９】
図６は、３つのカテゴリに分類された親機情報に基づいて、４つ以上の二次元コードを生成する一例を示す図である。ここでは、無線ＬＡＮ設定に用いる親機情報をカテゴリＡに、また親機ステータス情報をカテゴリＢに、またリモート（インターネット経由）で利用できる親機情報をカテゴリＣに分類した場合を例に挙げて説明する。
【００５０】
図６に示すように、各カテゴリそれぞれに分類された親機情報だけで二次元コードを生成するだけではなく、例えば、カテゴリＡに分類された親機情報とカテゴリＢに分類された親機情報とに基づいて、二次元コードを生成したり、カテゴリＡに分類された親機情報とカテゴリＢに分類された親機情報とカテゴリＣに分類された親機情報とに基づいて、二次元コードを生成したりするように、カテゴリＡ、Ｂ、Ｃを任意に組み合わせた情報群に基づいて二次元コードを生成するものであっても良い。
【００５１】
図７は、無線ＬＡＮ親機１００が提供部１３０を持たず、他の装置と通信を行うＷｅｂサーバ機能を用いて他の装置に二次元コードを表示させる一例を示す図である。
【００５２】
図７に示すように、無線ＬＡＮ親機１００は、通信部であるＷｅｂサーバ機能部１６０を具備している。Ｗｅｂサーバ機能部１６０を用いて、表示装置であるモニタ４００と接続されており、コード生成部１２０が生成した二次元コードをモニタ４００に表示させる。このとき、ＩＰ（Ｉｎｔｅｒｎｅｔ  Ｐｒｏｔｏｃｏｌ）のプロトコルを利用して行うものであっても良い。なお、モニタ４００は、ＰＣ（Ｐｅｒｓｏｎａｌ  Ｃｏｍｐｕｔｅｒ）、テレビ、プリンタ等も利用できる。また、モニタ４００の配置場所は、ＬＡＮ上だけでなく、インターネットを経由したリモートであっても良い。
【００５３】
また、無線ＬＡＮ子機２００の利用者に応じたカテゴリを作成するものであっても良い。
【００５４】
図８は、無線ＬＡＮ子機２００の利用者に応じたカテゴリを作成する処理を説明するためのフローチャートである。
【００５５】
まず、無線ＬＡＮ子機２００が、無線ＬＡＮ親機１００へ二次元コードの生成を要求した場合、無線ＬＡＮ親機１００が、その要求を受信すると（ステップＳ２１）、無線ＬＡＮ親機１００は、あらかじめ設定された質問事項を無線ＬＡＮ子機２００へ送信する（ステップＳ２２）。送信された質問事項は質問リストとして、無線ＬＡＮ子機２００の表示部（不図示）に表示される。
【００５６】
図９は、無線ＬＡＮ子機２００に表示された質問リストの一例を示す図である。
【００５７】
図９に示すように、無線ＬＡＮ親機１００から送信された質問事項が、無線ＬＡＮ子機２００に質問リストとして表示される。
【００５８】
表示された質問事項に対して、無線ＬＡＮ子機２００の利用者の操作で回答が入力されると（ステップＳ２３のＹｅｓ）、入力された回答を無線ＬＡＮ子機２００が無線ＬＡＮ親機１００へ送信し、無線ＬＡＮ親機１００が、その回答に基づいてカテゴリを生成する（ステップＳ２４）。例えば、図９に示すような質問「子機利用者の年齢は？」に対して「２０才」という回答が入力されると、２０代の利用者向けのカテゴリが生成される。また、図９に示すような質問「子機利用者の性別は？」に対して「男性」という回答が入力されると、男性向けのカテゴリが生成される。また、図９に示すような質問「子機利用者の趣味は？」に対して「スポーツ」という回答が入力されると、スポーツが趣味である利用者向けのカテゴリが生成される。このカテゴリの生成基準は、利用者に応じたものとなるように、実験や試行を重ねて統計を取り、その統計に基づいたものであれば良く、ここでは特に規定しない。
【００５９】
一方、表示された質問事項に対して、無線ＬＡＮ子機２００の利用者の操作で回答が入力されない場合は（ステップＳ２３のＮｏ）、無線ＬＡＮ親機１００は、デフォルトで持っているカテゴリを使用する（ステップＳ２５）。
【００６０】
ここで、無線ＬＡＮ親機１００と無線ＬＡＮ子機２００との間の通信方法は、特に規定しないが、無線ＬＡＮ親機１００のＷｅｂサーバ機能を使用しても良い。
【００６１】
このように、無線ＬＡＮ親機１００は、無線ＬＡＮ子機２００から送信された回答内容に基づいて、カテゴリを生成するものであっても良い。
【００６２】
また、無線ＬＡＮ親機１００が、無線ＬＡＮ親機１００に関する親機情報だけではなく、親機情報とは異なる他の情報を取得し、取得した情報を所定のカテゴリに分類するものであっても良い。
【００６３】
図１０は、無線ＬＡＮ親機１００が、親機情報とは異なる他の情報を取得し、取得した情報を所定のカテゴリに分類して提供した場合の提供例を示す図である。
【００６４】
図１０に示すように、親機情報管理部１１０は、親機情報だけでなく、無線ＬＡＮ子機２００が無線通信する際に便利な情報をインターネット５００から取得する。例えば、親機情報管理部１１０は、日本国内のホットスポットの位置や電源利用可能場所など、無線ＬＡＮ子機２００を現在の無線ＬＡＮ親機１００から別の無線ＬＡＮ親機と接続する際に便利な情報を取得して所定のカテゴリに分類し、コード生成部１２０は、これら取得した情報を含む二次元コードを分類したカテゴリごとに生成し、提供部１３０が提供する。
【００６５】
提供部１３０に提供された内容を無線ＬＡＮ子機２００の情報読み取り部２１０が読み取り、情報読み込みアプリケーション２２０が読み込んで利用する。また、応用例として、インターネット情報だけでなく、周辺に設置されている無線ＬＡＮ親機からチャネルが最も空いている、もしくは転送レートが最速など、最適な設定情報を含む二次元コードを生成し、無線ＬＡＮ子機２００が読み込んで利用するものであっても良い。
【００６６】
また、無線ＬＡＮ親機１００が、親機情報とは異なる他の情報を取得し、取得した情報と無線ＬＡＮ子機２００から指定された行き先情報とを所定のカテゴリに分類するものであっても良い。
【００６７】
図１１は、無線ＬＡＮ親機１００が、親機情報とは異なる他の情報を取得し、取得した情報と無線ＬＡＮ子機２００から指定された行き先情報とを所定のカテゴリに分類して提供した場合の提供例を示す図である。
【００６８】
図１１に示すように、図１０を用いて説明した他の情報に無線ＬＡＮ子機２００側の情報も追加した上でインターネット５００から情報を取得する。例えば、無線ＬＡＮ子機２００の利用者の行き先が指定されると、コード生成部１２０は、行き先付近のホットスポットの位置や利用可能場所を含む二次元コードを生成する。また、無線ＬＡＮ子機２００の利用者の当日のスケジュールが指定されると、コード生成部１２０は、スケジュールに合った利用可能場所の情報を含む二次元コードを生成する。提供部１３０は、生成した二次元コードを提供し、無線ＬＡＮ子機２００の情報読み取り部２１０が読み取って利用する。
【００６９】
なお、この行き先やスケジュールは、無線ＬＡＮ子機２００に入力され、またはあらかじめ保存されているものを利用する。その指定は、無線ＬＡＮ子機２００への所定の操作（例えば、表示されたリストの中からのカーソル移動による選択等）が行われることで実施される。そして、指定されたものを、無線ＬＡＮ子機２００が無線ＬＡＮ親機１００へ送信するものである。
【００７０】
以下に、無線ＬＡＮ子機２００が、二次元コードを読み取った後の利用方法の一例について説明する。
【００７１】
図１２は、無線ＬＡＮ子機２００が、二次元コードを読み取った後の利用方法の一例を説明するための図である。
【００７２】
図１２に示すように、無線ＬＡＮ親機１００は、ＵＳＢ（Ｕｎｉｖｅｒｓａｌ  Ｓｅｒｉａｌ  Ｂｕｓ）ポート１７０を具備し、ＵＳＢカメラ７００やＵＳＢストレージ機能、さらには、ポートマッピングによるＬＡＮアクセス機能、Ｗａｋｅ  Ｏｎ  ＬａｎによるＰＣ起動機能などのリモートサービスが利用できる。これらの機能をインターネット６００上で利用するには、無線ＬＡＮ親機１００のＷＡＮ（Ｗｉｄｅ  Ａｒｅａ  Ｎｅｔｗｏｒｋ）側ＵＲＬまたはＩＰアドレスと、各サービスを利用するために必要なユーザ名とパスワードが必要である。本発明では、二次元コードにこれらの情報を含んでおくことで、無線ＬＡＮ子機２００の利用者は、無線ＬＡＮ親機１００から提供された二次元コードを、無線ＬＡＮ子機２００の情報読み取り部２１０を用いて読み取り、情報読み込みアプリケーション２２０を使用してＵＳＢカメラ７００へアクセスするなど、親機サービスを利用する。
【００７３】
また、Ｗｅｂサーバ機能部１６０を用いて、モニタ４００に二次元コードを表示させる場合、表示の回数は一度（もしくは、一定の時間）だけとするものであっても良い。
【００７４】
図１３は、Ｗｅｂサーバ機能部１６０を用いて、モニタ４００に二次元コードを表示させる場合、表示の回数は一度だけとする処理を説明するための図である。
【００７５】
図１３に示すように、無線ＬＡＮ親機１００は、Ｗｅｂサーバ機能部１６０を利用して、モニタ４００に二次元コードを表示させるが、二次元コードを生成した直後の一度のみ表示をさせ、その後、再度、二次元コードを確認するために、Ｗｅｂサーバ機能部１６０を利用してモニタ４００を確認しても、二次元コードが表示されない。これにより、セキュリティーも確保できる。なお、提供部１３０において、このような制限付きの提供を行うものであっても良い。
【００７６】
また、提供部１３０が提供している二次元コードを一定の時間経過とともに、変更させるものであっても良い。
【００７７】
図１４は、提供部１３０が提供している二次元コードを一定の時間経過とともに、変更させる処理を説明するための図である。
【００７８】
図１４に示すように、提供部１３０は、コード生成部１２０が二次元コードを生成した直後、その生成した二次元コードを提供する。この時、二次元コードは提供（表示）したままとする。次に、一定時間の経過とともに、親機情報管理部１１０は、無線ＬＡＮ親機１００の無線通信の暗号化キーなど設定を変更し、その変更に伴い、コード生成部１２０は、二次元コードを生成しなおして、提供部１３０が、生成しなおした二次元コードを提供する。この変更は、定期的に変更するものだけでなく、無線ＬＡＮ親機１００の利用者が設定を手動で変更した際も、コード生成部１２０が再度二次元コードを生成し、新しい二次元コードを提供部１３０が提供する。
【００７９】
このように、親機ステータス情報を含んだ親機情報を複数のカテゴリに分類して提供することで、無線ＬＡＮ子機２００が必要とする情報を提供することができる。
【００８０】
上述した無線ＬＡＮ親機１００に設けられた各構成要素が行う処理は、目的に応じてそれぞれ作製された論理回路で行うようにしても良い。また、処理内容を手順として記述したコンピュータプログラム（以下、プログラムと称する）を無線ＬＡＮ親機１００にて読取可能な記録媒体に記録し、この記録媒体に記録されたプログラムを無線ＬＡＮ親機１００に読み込ませ、実行するものであっても良い。無線ＬＡＮ親機１００にて読取可能な記録媒体とは、フロッピー（登録商標）ディスク、光磁気ディスク、ＤＶＤ、ＣＤなどの移設可能な記録媒体の他、無線ＬＡＮ親機１００に内蔵されたＲＯＭ、ＲＡＭ等のメモリやＨＤＤ等を指す。この記録媒体に記録されたプログラムは、無線ＬＡＮ親機１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００８１】
１００    無線ＬＡＮ親機
１１０    親機情報管理部
１２０    コード生成部
１３０    提供部
１４０，２４０    無線ＬＡＮインタフェース部
１５０    有線インタフェース部
１６０    Ｗｅｂサーバ機能部
１７０    ＵＳＢポート
２００    無線ＬＡＮ子機
２１０    情報読み取り部
２２０    情報読み込みアプリケーション
２３０    記憶部
２５０    携帯電話網インタフェース部
２６０    設定管理部
３００    通信ネットワーク
４００    モニタ
５００，６００    インターネット
７００    ＵＳＢカメラ
【図１】
2013150150.tif 000003
【図２】
2013150150.tif 000004
【図３】
2013150150.tif 000005
【図４】
2013150150.tif 000006
【図５】
2013150150.tif 000007
【図６】
2013150150.tif 000008
【図７】
2013150150.tif 000009
【図８】
2013150150.tif 000010
【図９】
2013150150.tif 000011
【図１０】
2013150150.tif 000012
【図１１】
2013150150.tif 000013
【図１２】
2013150150.tif 000014
【図１３】
2013150150.tif 000015
【図１４】
2013150150.tif 000016